【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
少なくとも１つのイオン液体および少なくとも１つのフルオロオレフィンを含む組成物であって、ここで少なくとも約１質量パーセントの上記少なくとも１つのフルオロオレフィンを含む、上記組成物。
【請求項２】
イオン液体が：
【化１】
2011527720.tif 000001
【化２】
2011527720.tif 000002
［式中、Ｒ1、Ｒ2、Ｒ3、Ｒ4、Ｒ5およびＲ6は、各々：
（ｉ）Ｈ；
（ii）ハロゲン；
（iii）Ｃｌ、Ｂｒ、Ｆ、Ｉ、ＯＨ、ＮＨ2およびＳＨからなる群から選択される少なくとも１つのメンバーで任意に置換される、−ＣＨ3、−Ｃ2Ｈ5、またはＣ3〜Ｃ25直鎖、分岐または環状アルカンまたはアルケン；
（iv）Ｏ、Ｎ、ＳｉおよびＳからなる群から選択される１〜３個のヘテロ原子を含み、かつＣｌ、Ｂｒ、Ｆ、Ｉ、ＯＨ、ＮＨ2およびＳＨからなる群から選択される少なくとも１つのメンバーで任意に置換される、−ＣＨ3、−Ｃ2Ｈ5、またはＣ3〜Ｃ25直鎖、分岐または環状アルカンまたはアルケン；
（ｖ）Ｏ、Ｎ、ＳｉおよびＳからなる群から独立して選択される１〜３個のヘテロ原子を有するＣ6〜Ｃ20非置換アリールまたはＣ3〜Ｃ25非置換ヘテロアリール；および
（vi）Ｏ、Ｎ、ＳｉおよびＳからなる群から独立して選択される１〜３個のヘテロ原子を有するＣ6〜Ｃ25置換アリールまたはＣ3〜Ｃ25置換ヘテロアリールであって；ここで
（１）Ｃｌ、Ｂｒ、Ｆ、Ｉ、ＯＨ、ＮＨ2およびＳＨからなる群から選択される少なくとも１つのメンバーで任意に置換される、−ＣＨ3、−Ｃ2Ｈ5、またはＣ3〜Ｃ25直鎖、分岐または環状アルカンまたはアルケン、
（２）ＯＨ、
（３）ＮＨ2、および
（４）ＳＨ；
からなる群から独立して選択される１〜３個の置換基を有する、上記置換アリールまたは置換ヘテロアリール；
からなる群から独立して選択され、ならびに、Ｒ7、Ｒ8、Ｒ9およびＲ10は：
（ｉ）Ｃｌ、Ｂｒ、Ｆ、Ｉ、ＯＨ、ＮＨ2およびＳＨからなる群から選択される少なくとも１つのメンバーで任意に置換される、−ＣＨ3、−Ｃ2Ｈ5、またはＣ3〜Ｃ25直鎖、分岐または環状アルカンまたはアルケン；
（ii）Ｏ、Ｎ、ＳｉおよびＳからなる群から選択される１〜３個のヘテロ原子を含み、かつ、Ｃｌ、Ｂｒ、Ｆ、Ｉ、ＯＨ、ＮＨ2およびＳＨからなる群から選択される少なくとも１つのメンバーで任意に置換される、−ＣＨ3、−Ｃ2Ｈ5、またはＣ3〜Ｃ25直鎖、分岐または環状アルカンまたはアルケン；
（iii）Ｏ、Ｎ、ＳｉおよびＳからなる群から独立して選択される１〜３個のヘテロ原子を有する、Ｃ6〜Ｃ25非置換アリールまたはＣ3〜Ｃ25非置換ヘテロアリール；および
（iv）Ｏ、Ｎ、ＳｉおよびＳからなる群から独立して選択される１〜３個のヘテロ原子を有するＣ6〜Ｃ25置換アリールまたはＣ3〜Ｃ25置換ヘテロアリールであって；ここで
（１）Ｃｌ、Ｂｒ、Ｆ、Ｉ、ＯＨ、ＮＨ2およびＳＨからなる群から選択される少なくとも１つのメンバーで任意に置換される、−ＣＨ3、−Ｃ2Ｈ5、またはＣ3〜Ｃ25直鎖、分岐または環状アルカンまたはアルケン、
（２）ＯＨ、
（３）ＮＨ2、および
（４）ＳＨ
からなる群から独立して選択される１〜３個の置換基を有する、上記置換アリールまたは置換ヘテロアリール；
からなる群から独立して選択され、そして
ここで任意に、Ｒ1、Ｒ2、Ｒ3、Ｒ4、Ｒ5、Ｒ6、Ｒ7、Ｒ8、Ｒ9およびＲ10の少なくとも２つが一緒になって環式または二環式アルカニルまたはアルケニル基を形成していてもよい］
からなる群から選択される少なくとも１種のカチオンを含む、請求項１に記載の組成物。
【請求項３】
Ｒ1、Ｒ2、Ｒ3、Ｒ4、Ｒ5、Ｒ6、Ｒ7、Ｒ8、Ｒ9およびＲ10のいずれか１つ、または２つ以上の任意の群が、Ｆ−を含む、請求項２に記載の組成物。
【請求項４】
イオン液体が、［ＣＨ3ＣＯ2］−、［ＨＳＯ4］−、［ＣＨ3ＯＳＯ3］−、［Ｃ2Ｈ5ＯＳＯ3］−、［ＡｌＣｌ4］−、［ＣＯ3］2-、［ＨＣＯ3］−、［ＮＯ2］−、［ＮＯ3］−、［ＳＯ4］2-、［ＰＯ4］3-、［ＨＰＯ4］2-、［Ｈ2ＰＯ4］−、［ＨＳＯ3］−、［ＣｕＣｌ2］−、Ｃｌ−、Ｂｒ−、Ｉ−、ＳＣＮ−および任意のフッ素化アニオンからなる群から選択されるアニオンを含む、請求項１に記載の組成物。
【請求項５】
フッ素化アニオンが、［ＢＦ4］−、［ＰＦ6］−、［ＳｂＦ6］−、［ＣＦ3ＳＯ3］−、［ＨＣＦ2ＣＦ2ＳＯ3］−、［ＣＦ3ＨＦＣＣＦ2ＳＯ3］−、［ＨＣＣｌＦＣＦ2ＳＯ3］−、［（ＣＦ3ＳＯ2）2Ｎ］−、［（ＣＦ3ＣＦ2ＳＯ2）2Ｎ］−、［（ＣＦ3ＳＯ2）3Ｃ］−、［ＣＦ3ＣＯ2］−、［ＣＦ3ＯＣＦＨＣＦ2ＳＯ3］−、［ＣＦ3ＣＦ2ＯＣＦＨＣＦ2ＳＯ3］−、［ＣＦ3ＣＦＨＯＣＦ2ＣＦ2ＳＯ3］−、［ＣＦ2ＨＣＦ2ＯＣＦ2ＣＦ2ＳＯ3］−、［ＣＦ2ＩＣＦ2ＯＣＦ2ＣＦ2ＳＯ3］−、［ＣＦ3ＣＦ2ＯＣＦ2ＣＦ2ＳＯ3］−、［（ＣＦ2ＨＣＦ2ＳＯ2）2Ｎ］−、［（ＣＦ3ＣＦＨＣＦ2ＳＯ2）2Ｎ］−、およびＦ−からなる群から選択される、請求項３に記載の組成物。
【請求項６】
フルオロオレフィンが：
（ｉ）式Ｅ−またはＺ−Ｒ1ＣＨ＝ＣＨＲ2のフルオロオレフィン（式中、Ｒ1およびＲ2が、独立して、Ｃ1〜Ｃ6パーフルオロアルキル基である）；
（ii）式シクロ−［ＣＸ＝ＣＹ（ＣＺＷ）n−］の環式フルオロオレフィン（式中、Ｘ、Ｙ、ＺおよびＷが、独立して、ＨまたはＦであり、およびｎが２〜５の整数である）；ならびに
（iii）テトラフルオロエチレン（ＣＦ2＝ＣＦ2）；ヘキサフルオロプロペン（ＣＦ3ＣＦ＝ＣＦ2）；１，２，３，３，３−ペンタフルオロ−１−プロペン（ＣＨＦ＝ＣＦＣＦ３）、１，１，３，３，３−ペンタフルオロ−１−プロペン（ＣＦ2＝ＣＨＣＦ3）、１，１，２，３，３−ペンタフルオロ−１−プロペン（ＣＦ2＝ＣＦＣＨＦ2）、１，２，３，３−テトラフルオロ−１−プロペン（ＣＨＦ＝ＣＦＣＨＦ2）、２，３，３，３−テトラフルオロ−１−プロペン（ＣＨ2＝ＣＦＣＦ3）、１，３，３，３−テトラフルオロ−１−プロペン（ＣＨＦ＝ＣＨＣＦ3）、１，１，２，３−テトラフルオロ−１−プロペン（ＣＦ2＝ＣＦＣＨ2Ｆ）、１，１，３，３−テトラフルオロ−１−プロペン（ＣＦ2＝ＣＨＣＨＦ2）、１，２，３，３−テトラフルオロ−１−プロペン（ＣＨＦ＝ＣＦＣＨＦ2）、３，３，３−トリフルオロ−１−プロペン（ＣＨ2＝ＣＨＣＦ3）、２，３，３−トリフルオロ−１−プロペン（ＣＨＦ2ＣＦ＝ＣＨ2）；１，１，２−トリフルオロ−１−プロペン（ＣＨ3ＣＦ＝ＣＦ2）；１，２，３−トリフルオロ−１−プロペン（ＣＨ2ＦＣＦ＝ＣＦ2）；１，１，３−トリフルオロ−１−プロペン（ＣＨ2ＦＣＨ＝ＣＦ2）；１，３，３−トリフルオロ−１−プロペン（ＣＨＦ2ＣＨ＝ＣＨＦ）；１，１，１，２，３，４，４，４−オクタフルオロ−２−ブテン（ＣＦ3ＣＦ＝ＣＦＣＦ3）；１，１，２，３，３，４，４，４−オクタフルオロ−１−ブテン（ＣＦ3ＣＦ2ＣＦ＝ＣＦ2）；１，１，１，２，４，４，４−ヘプタフルオロ−２−ブテン（ＣＦ3ＣＦ＝ＣＨＣＦ3）；１，２，３，３，４，４，４−ヘプタフルオロ−１−ブテン（ＣＨＦ＝ＣＦＣＦ2ＣＦ3）；１，１，１，２，３，４，４−ヘプタフルオロ−２−ブテン（ＣＨＦ2ＣＦ＝ＣＦＣＦ3）；１，３，３，３−テトラフルオロ−２−（トリフルオロメチル）−１−プロペン（（ＣＦ3）2Ｃ＝ＣＨＦ）；１，１，３，３，４，４，４−ヘプタフルオロ−１−ブテン（ＣＦ2＝ＣＨＣＦ2ＣＦ3）；１，１，２，３，４，４，４−ヘプタフルオロ−１−ブテン（ＣＦ2＝ＣＦＣＨＦＣＦ3）；１，１，２，３，３，４，４−ヘプタフルオロ−１−ブテン（ＣＦ2＝ＣＦＣＦ2ＣＨＦ2）；２，３，３，４，４，４−ヘキサフルオロ−１−ブテン（ＣＦ3ＣＦ2ＣＦ＝ＣＨ2）；１，３，３，４，４，４−ヘキサフルオロ−１−ブテン（ＣＨＦ＝ＣＨＣＦ2ＣＦ3）；１，２，３，４，４，４−ヘキサフルオロ−１−ブテン（ＣＨＦ＝ＣＦＣＨＦＣＦ3）；１，２，３，３，４，４−ヘキサフルオロ−１−ブテン（ＣＨＦ＝ＣＦＣＦ2ＣＨＦ2）；１，１，２，３，４，４−ヘキサフルオロ−２−ブテン（ＣＨＦ2ＣＦ＝ＣＦＣＨＦ2）；１，１，１，２，３，４−ヘキサフルオロ−２−ブテン（ＣＨ2ＦＣＦ＝ＣＦＣＦ3）；１，１，１，２，４，４−ヘキサフルオロ−２−ブテン（ＣＨＦ2ＣＨ＝ＣＦＣＦ3）；１，１，１，３，４，４−ヘキサフルオロ−２−ブテン（ＣＦ3ＣＨ＝ＣＦＣＨＦ2）；１，１，２，３，３，４−ヘキサフルオロ−１−ブテン（ＣＦ2＝ＣＦＣＦ2ＣＨ2Ｆ）；１，１，２，３，４，４−ヘキサフルオロ−１−ブテン（ＣＦ2＝ＣＦＣＨＦＣＨＦ2）；３，３，３−トリフルオロ−２−（トリフルオロメチル）−１−プロペン（ＣＨ2＝Ｃ（ＣＦ3）2）；１，１，１，２，４−ペンタフルオロ−２��ブテン（ＣＨ2ＦＣＨ＝ＣＦＣＦ3）；１，１，１，３，４−ペンタフルオロ−２−ブテン（ＣＦ3ＣＨ＝ＣＦＣＨ2Ｆ）；３，３，４，４，４−ペンタフルオロ−１−ブテン（ＣＦ3ＣＦ2ＣＨ＝ＣＨ2）；１，１，１，４，４−ペンタフルオロ−２−ブテン（ＣＨＦ2ＣＨ＝ＣＨＣＦ3）；１，１，１，２，３−ペンタフルオロ−２−ブテン（ＣＨ3ＣＦ＝ＣＦＣＦ3）；２，３，３，４，４−ペンタフルオロ−１−ブテン（ＣＨ2＝ＣＦＣＦ2ＣＨＦ2）；１，１，２，４，４−ペンタフルオロ−２−ブテン（ＣＨＦ2ＣＦ＝ＣＨＣＨＦ2）；１，１，２，３，３−ペンタフルオロ−１−ブテン（ＣＨ3ＣＦ2ＣＦ＝ＣＦ2）；１，１，２，３，４−ペンタフルオロ−２−ブテン（ＣＨ2ＦＣＦ＝ＣＦＣＨＦ2）；１，１，３，３，３−ペンタフルオロ−２−メチル−１−プロペン（ＣＦ2＝Ｃ（ＣＦ3）（ＣＨ3））；２−（ジフルオロメチル）−３，３，３−トリフルオロ−１−プロペン（ＣＨ2＝Ｃ（ＣＨＦ2）（ＣＦ3））；２，３，４，４，４−ペンタフルオロ−１−ブテン（ＣＨ2＝ＣＦＣＨＦＣＦ3）；１，２，４，４，４−ペンタフルオロ−１−ブテン（ＣＨＦ＝ＣＦＣＨ2ＣＦ3）；１，３，４，４，４−ペンタフルオロ−１−ブテン（ＣＨＦ＝ＣＨＣＨＦＣＦ3）；１，３，３，４，４−ペンタフルオロ−１−ブテン（ＣＨＦ＝ＣＨＣＦ2ＣＨＦ2）；１，２，３，４，４−ペンタフルオロ−１−ブテン（ＣＨＦ＝ＣＦＣＨＦＣＨＦ2）；３，３，４，４−テトラフルオロ−１−ブテン（ＣＨ2＝ＣＨＣＦ2ＣＨＦ2）；１，１−ジフルオロ−２−（ジフルオロメチル）−１−プロペン（ＣＦ2＝Ｃ（ＣＨＦ2）（ＣＨ3））；１，３，３，３−テトラフルオロ−２−メチル−１−プロペン（ＣＨＦ＝Ｃ（ＣＦ3）（ＣＨ3））；３，３−ジフルオロ−２−（ジフルオロメチル）−１−プロペン（ＣＨ2＝Ｃ（ＣＨＦ2）2）；１，１，１，２−テトラフルオロ−２−ブテン（ＣＦ3ＣＦ＝ＣＨＣＨ3）；１，１，１，３−テトラフルオロ−２−ブテン（ＣＨ3ＣＦ＝ＣＨＣＦ3）；１，１，１，２，３，４，４，５，５，５−デカフルオロ−２−ペンテン（ＣＦ3ＣＦ＝ＣＦＣＦ2ＣＦ3）；１，１，２，３，３，４，４，５，５，５−デカフルオロ−１−ペンテン（ＣＦ2＝ＣＦＣＦ2ＣＦ2ＣＦ3）；１，１，１，４，４，４−ヘキサフルオロ−２−（トリフルオロメチル）−２−ブテン（（ＣＦ3）2Ｃ＝ＣＨＣＦ3）；１，１，１，２，４，４，５，５，５−ノナフルオロ−２−ペンテン（ＣＦ3ＣＦ＝ＣＨＣＦ2ＣＦ3）；１，１，１，３，４，４，５，５，５−ノナフルオロ−２−ペンテン（ＣＦ3ＣＨ＝ＣＦＣＦ2ＣＦ3）；１，２，３，３，４，４，５，５，５−ノナフルオロ−１−ペンテン（ＣＨＦ＝ＣＦＣＦ2ＣＦ2ＣＦ3）；１，１，３，３，４，４，５，５，５−ノナフルオロ−１−ペンテン（ＣＦ2＝ＣＨＣＦ2ＣＦ2ＣＦ3）；１，１，２，３，３，４，４，５，５−ノナフルオロ−１−ペンテン（ＣＦ2＝ＣＦＣＦ2ＣＦ2ＣＨＦ2）；１，１，２，３，４，４，５，５，５−ノナフルオロ−２−ペンテン（ＣＨＦ2ＣＦ＝ＣＦＣＦ2ＣＦ3）；１，１，１，２，３，４，４，５，５−ノナフルオロ−２−ペンテン（ＣＦ3ＣＦ＝ＣＦＣＦ2ＣＨＦ2）；１，１，１，２，３，４，５，５，５−ノナフルオロ−２−ペンテン（ＣＦ3ＣＦ＝ＣＦＣＨＦＣＦ3）；１，２，３，４，４，４−ヘキサ���ルオロ−３−（トリフルオロメチル）−１−ブテン（ＣＨＦ＝ＣＦＣＦ（ＣＦ3）2）；１，１，２，４，４，４−ヘキサフルオロ−３−（トリフルオロメチル）−１−ブテン（ＣＦ2＝ＣＦＣＨ（ＣＦ3）2）；１，１，１，４，４，４−ヘキサフルオロ−２−（トリフルオロメチル）−２−ブテン（ＣＦ3ＣＨ＝Ｃ（ＣＦ3）2）；１，１，３，４，４，４−ヘキサフルオロ−３−（トリフルオロメチル）−１−ブテン（ＣＦ2＝ＣＨＣＦ（ＣＦ3）2）；２，３，３，４，４，５，５，５−オクタフルオロ−１−ペンテン（ＣＨ2＝ＣＦＣＦ2ＣＦ2ＣＦ3）；１，２，３，３，４，４，５，５−オクタフルオロ−１−ペンテン（ＣＨＦ＝ＣＦＣＦ2ＣＦ2ＣＨＦ2）；３，３，４，４，４−ペンタフルオロ−２−（トリフルオロメチル）−１−ブテン（ＣＨ2＝Ｃ（ＣＦ3）ＣＦ2ＣＦ3）；１，１，４，４，４−ペンタフルオロ−３−（トリフルオロメチル）−１−ブテン（ＣＦ2＝ＣＨＣＨ（ＣＦ3）2）；１，３，４，４，４−ペンタフルオロ−３−（トリフルオロメチル）−１−ブテン（ＣＨＦ＝ＣＨＣＦ（ＣＦ3）2）；１，１，４，４，４−ペンタフルオロ−２−（トリフルオロメチル）−１−ブテン（ＣＦ2＝Ｃ（ＣＦ3）ＣＨ2ＣＦ3）；３，４，４，４−テトラフルオロ−３−（トリフルオロメチル）−１−ブテン（（ＣＦ3）2ＣＦＣＨ＝ＣＨ2）；３，３，４，４，５，５，５−ヘプタフルオロ−１−ペンテン（ＣＦ3ＣＦ2ＣＦ2ＣＨ＝ＣＨ2）；２，３，３，４，４，５，５−ヘプタフルオロ−１−ペンテン（ＣＨ2＝ＣＦＣＦ2ＣＦ2ＣＨＦ2）；１，１，３，３，５，５，５−ヘプタフルオロ−１−ブテン（ＣＦ2＝ＣＨＣＦ2ＣＨ2ＣＦ3）；１，１，１，２，４，４，４−ヘプタフルオロ−３−メチル−２−ブテン（ＣＦ3ＣＦ＝Ｃ（ＣＦ3）（ＣＨ3））；２，４，４，４−テトラフルオロ−３−（トリフルオロメチル）−１−ブテン（ＣＨ2＝ＣＦＣＨ（ＣＦ3）2）；１，４，４，４−テトラフルオロ−３−（トリフルオロメチル）−１−ブテン（ＣＨＦ＝ＣＨＣＨ（ＣＦ3）2）；１，１，１，４−テトラフルオロ−２−（トリフルオロメチル）−２−ブテン（ＣＨ2ＦＣＨ＝Ｃ（ＣＦ3）2）；１，１，１，３−テトラフルオロ−２−（トリフルオロメチル）−２−ブテン（ＣＨ3ＣＦ＝Ｃ（ＣＦ3）2）；１，１，１−トリフルオロ−２−（トリフルオロメチル）−２−ブテン（（ＣＦ3）2Ｃ＝ＣＨＣＨ3）；３，４，４，５，５，５−ヘキサフルオロ−２−ペンテン（ＣＦ3ＣＦ2ＣＦ＝ＣＨＣＨ3）；１，１，１，４，４，４−ヘキサフルオロ−２−メチル−２−ブテン（ＣＦ3Ｃ（ＣＨ3）＝ＣＨＣＦ3）；３，３，４，５，５，５−ヘキサフルオロ−１−ペンテン（ＣＨ
2＝ＣＨＣＦ2ＣＨＦＣＦ3）；４，４，４−トリフルオロ−２−（トリフルオロメチル）−１−ブテン（ＣＨ2＝Ｃ（ＣＦ3）ＣＨ2ＣＦ3）；１，１，２，３，３，４，４，５，５，６，６，６−ドデカフルオロ−１−ヘキセン（ＣＦ3（ＣＦ2）3ＣＦ＝ＣＦ2）；１，１，１，２，２，３，４，５，５，６，６，６−ドデカフルオロ−３−ヘキセン（ＣＦ3ＣＦ2ＣＦ＝ＣＦＣＦ2ＣＦ3）；１，１，１，４，４，４−ヘキサフルオロ−２，３−ビス（トリフルオロメチル）−２−ブテン（（ＣＦ3）2Ｃ＝Ｃ（ＣＦ3）2）；１，１，１，２，３，４，５，５，５−ノナフルオロ−４−（トリフルオロメチル）−２−ペンテン（（ＣＦ3）2ＣＦＣＦ＝ＣＦＣＦ3）；１，１，１，４，４，５，５，５−オクタフルオロ−２−（トリフルオロメチル）−２−ペンテン（（ＣＦ3）2Ｃ＝ＣＨＣ2Ｆ5）；１，１，１，３，４，５，５，５−オクタフルオロ−４−（トリフルオロメチル）−２−ペンテン（（ＣＦ3）2ＣＦＣＦ＝ＣＨＣＦ3）；３，３，４，４，５，５，６，６，６−ノナフルオロ−１−ヘキセン（ＣＦ3ＣＦ2ＣＦ2ＣＦ2ＣＨ＝ＣＨ2）；４，４，４−トリフルオロ−３，３−ビス（トリフルオロメチル）−１−ブテン（ＣＨ2＝ＣＨＣ（ＣＦ3）3）；１，１，１，４，４，４−ヘキサフルオロ−３−メチル−２−（トリフルオロメチル）−２−ブテン（（ＣＦ3）2Ｃ＝Ｃ（ＣＨ3）（ＣＦ3））；２，３，３，５，５，５−ヘキサフルオロ−４−（トリフルオロメチル）−１−ペンテン（ＣＨ2＝ＣＦＣＦ2ＣＨ（ＣＦ3）2）；１，１，１，２，４，４，５，５，５−ノナフルオロ−３−メチル−２−ペンテン（ＣＦ3ＣＦ＝Ｃ（ＣＨ3）ＣＦ2ＣＦ3）；１，１，１，５，５，５−ヘキサフルオロ−４−（トリフルオロメチル）−２−ペンテン（ＣＦ3ＣＨ＝ＣＨＣＨ（ＣＦ3）2）；３，４，４，５，５，６，６，６−オクタフルオロ−２−ヘキセン（ＣＦ3ＣＦ2ＣＦ2ＣＦ＝ＣＨＣＨ3）；３，３，４，４，５，５，６，６−オクタフルオロ−１−ヘキセン（ＣＨ2＝ＣＨＣＦ2ＣＦ2ＣＦ2ＣＨＦ2）；１，１，１，４，４−ペンタフルオロ−２−（トリフルオロメチル）−２−ペンテン（（ＣＦ3）2Ｃ＝ＣＨＣＦ2ＣＨ3）；４，４，５，５，５−ペンタフルオロ−２−（トリフルオロメチル）−１−ペンテン（ＣＨ2＝Ｃ（ＣＦ3）ＣＨ2Ｃ2Ｆ5）；３，３，４，４，５，５，５−ヘプタフルオロ−２−メチル−１−ペンテン（ＣＦ3ＣＦ2ＣＦ2Ｃ（ＣＨ3）＝ＣＨ2）；４，４，５，５，６，６，６−ヘプタフルオロ−２−ヘキセン（ＣＦ3ＣＦ2ＣＦ2ＣＨ＝ＣＨＣＨ3）；４，４，５，５，６，６，６−ヘプタフルオロ−１−ヘキセン（ＣＨ2＝ＣＨＣＨ2ＣＦ2Ｃ2Ｆ5）；１，１，１，２，２，３，４−ヘプタフルオロ−３−ヘキセン（ＣＦ3ＣＦ2ＣＦ＝ＣＦＣ2Ｈ5）；４，５，５，５−テトラフルオロ−４−（トリフルオロメチル）−１−ペンテン（ＣＨ2＝ＣＨＣＨ2ＣＦ（ＣＦ3）2）；１，１，１，２，５，５，５−ヘプタフルオロ−４−メチル−２−ペンテン（ＣＦ3ＣＦ＝ＣＨＣＨ（ＣＦ3）（ＣＨ3））；１，１，１，３−テトラフルオロ−２−（トリフルオロメチル）−２−ペンテン（（ＣＦ3）2Ｃ＝ＣＦＣ2Ｈ5）；１，１，１，２，３，４，４，５，５，６，６，７，７，７−テトラデカフルオロ−２−ヘプテン（ＣＦ3ＣＦ＝ＣＦＣＦ2ＣＦ2Ｃ2Ｆ5）；１，１，１，２，２，３，���，５，５，６，６，７，７，７−テトラデカフルオロ−３−ヘプテン（ＣＦ3ＣＦ2ＣＦ＝ＣＦＣＦ2Ｃ2Ｆ5）；１，１，１，３，４，４，５，５，６，６，７，７，７−トリデカフルオロ−２−ヘプテン（ＣＦ3ＣＨ＝ＣＦＣＦ2ＣＦ2Ｃ2Ｆ5）；１，１，１，２，４，４，５，５，６，６，７，７，７−トリデカフルオロ−２−ヘプテン（ＣＦ3ＣＦ＝ＣＨＣＦ2ＣＦ2Ｃ2Ｆ5）；１，１，１，２，２，４，５，５，６，６，７，７，７−トリデカフルオロ−３−ヘプテン（ＣＦ3ＣＦ2ＣＨ＝ＣＦＣＦ2Ｃ2Ｆ5）；および１，１，１，２，２，３，５，５，６，６，７，７，７−トリデカフルオロ−３−ヘプテン（ＣＦ3ＣＦ2ＣＦ＝ＣＨＣＦ2Ｃ2Ｆ5）からなる群から選択されるフルオロオレフィン
からなる群から選択される少なくとも１つの化合物である、請求項１に記載の組成物。
【請求項７】
フルオロオレフィンが：
１，１，１，４，４，４−ヘキサフルオロブタ−２−エン；１，１，１，４，４，５，５，５−オクタフルオロペンタ−２−エン；１，１，１，４，４，５，５，６，６，６−デカフルオロヘキサ−２−エン；１，１，１，４，５，５，５−ヘプタフルオロ−４−（トリフルオロメチル）ペンタ−２−エン；１，１，１，２，２，５，５，６，６，６−デカフルオロヘキサ−３−エン；１，１，１，４，４，５，５，６，６，７，７，７−ドデカフルオロヘプタ−２−エン；１，１，１，４，４，５，６，６，６−ノナフルオロ−５−（トリフルオロメチル）ヘキサ−２−エン；１，１，１，４，５，５，６，６，６−ノナフルオロ−４−（トリフルオロメチル）ヘキサ−２−エン；１，１，１，５，５，５−ヘキサフルオロ−４，４−ビス（トリフルオロメチル）ペンタ−２−エン；１，１，１，２，２，５，５，６，６，７，７，７−ドデカフルオロヘプタ−３−エン；１，１，１，２，２，５，６，６，６−ノナフルオロ−５−（トリフルオロメチル）ヘキサ−３−エン；１，１，１，４，４，５，５，６，６，７，７，８，８，８−テトラデカフルオロオクタ−２−エン；１，１，１，４，４，５，５，６，７，７，７−ウンデカフルオロ−６−（トリフルオロメチル）ヘプタ−２−エン；１，１，１，５，５，６，６，６−オクタフルオロ−４，４−ビス（トリフルオロメチル）ヘキサ−２−エン；１，１，１，２，２，５，５，６，６，７，７，８，８，８−テトラデカフルオロオクタ−３−エン；１，１，１，２，２，５，５，６，７，７，７−ウンデカフルオロ−６−（トリフルオロメチル）ヘプタ−３−エン；１，１，１，２，２，５，６，６，７，７，７−ウンデカフルオロ−５−（トリフルオロメチル）ヘプタ−３−エン；１，１，１，２，２，６，６，６−オクタフルオロ−５，５−ビス（トリフルオロメチル）ヘキサ−３−エン；１，１，１，２，２，３，３，６，６，７，７，８，８，８−テトラデカフルオロオクタ−４−エン；１，１，１，２，５，６，６，６−オクタフルオロ−２，５−ビス（トリフルオロメチル）ヘキサ−３−エン；１，１，１，２，５，５，６，６，７，７，７−ウンデカフルオロ−２−（トリフルオロメチル）ヘプタ−３−エン；１，１，１，４，４，５，５，６，６，７，７，８，８，９，９，９−ヘキサデカフルオロノナ−２−エン；１，１，１，４，５，５，６，６，７，７，８，８，８−トリデカフルオロ−４−（トリフルオロメチル）ヘプタ−２−エン；１，１，１，６，６，６−オクタフルオロ−４，４−ビス（トリフルオロメチル）ヘプタ−２−エン；１，１，１，２，２，５，５，６，６，７，７，８，８，９，９，９−ヘキサデカフルオロノナ−３−エン；１，１，１，２，２，５，５，６，６，７，８，８，８−トリデカフルオロ−７−（トリフルオロメチル）オクタ−３−エン；１，１，１，２，２，６，６，７，７，７−デカフルオロ−５，５−ビス（トリフルオロメチル）ヘプタ−３−エン；１，１，１，２，２，３，３，６，６，７，７，８，８，９，９，９−ヘキサデカフルオロノナ−４−エン；１，１，１，２，２，３，３，６，６，７，８，８，８−トリデカフルオロ−７−（トリフルオロメチル）オクタ−４−エン；１，１，１，２，２，３，３，６，７，７，８，８，８−トリデカフルオロ−６−（トリフルオロメチル）オクタ−４−エン；１，１，１，５，５，６，６，７，７，７−デカフルオロ−２，２−ビス（トリフルオロメチル）ヘプタ−３−エン；１，１，１，２，５，５，６，６，７，７，８，８，８−トリデカフルオロ−２−（トリフルオロメチル）オクタ−３−エン；１，１，１，２，５，５，６，７，７，７−デカフルオロ−２，６−ビス（トリフルオロメチル）ヘプタ−３−エン；１，１，１，２，５，６，６，７，７，７−デカフルオロ−２，５−ビス（トリフルオロメチル）ヘプタ−３−エン；１，１，１，２，６，６，６−ヘプタフルオロ−２，５，５−トリス（トリフルオロメチル）ヘキサ−３−エン；１，１，１，２，２，５，５，６，６，７，７，８，８，９，９，１０，１０，１０−オクタデカフルオロデカ−３−エン；１，１，１，２，２，５，６，６，７，７，８，８，９，９，９−ペンタデカフルオロ−５−（トリフルオロメチル）ノナ−３−エン；１，１，１，２，２，６，６，７，７，８，８，８−ドデカフルオロ−５，５−ビス（トリフルオロメチル）オクタ−３−エン；１，１，１，２，２，３，３，６，６，７，７，８，８，９，９，１０，１０，１０−オクタデカフルオロデカ−４−エン；１，１，１，２，２，３，３，６，６，７，７，８，９，９，９−ペンタデカフルオロ−８−（トリフルオロメチル）ノナ−４−エン；１，１，１，２，２，３，３，７，７，８，８，８−ドデカフルオロ−６，６−ビス（トリフルオロメチル）オクタ−４−エン；１，１，１，２，５，５，６，６，７，７，８，８，９，９，９−ペンタデカフルオロ−２−（トリフルオロメチル）ノナ−３−エン；１，１，１，２，５，５，６，６，７，８，８，８−ドデカフルオロ−２，７−ビス（トリフルオロメチル）オクタ−３−エン；１，１，１，２，６，６，７，７，７−ノナフルオロ−２，５，５−トリス（トリフルオロメチル）ヘプタ−３−エン；１，１，１，２，２，３，３，４，４，７，７，８，８，９，９，１０，１０，１０−オクタデカフルオロデカ−５−エン；１，１，１，２，３，３，６，６，７，７，８，８，９，９，９−ペンタデカフルオロ−２−（トリフルオロメチル）ノナ−４−エン；１，１，１，２，２，３，６，６，７，７，８，８，９，９，９−ペンタデカフルオロ−３−（トリフルオロメチル）ノナ−４−エン；１，１，１，５，５，６，６，７，７，８，８，８−ドデカフルオロ−２，２−ビス（トリフルオロメチル）オクタ−３−エン；１，１，１，２，３，３，６，６，７，８，８，８−ドデカフルオロ−２，７−ビス（トリフルオロメチル）オクタ−４−エン；１，１，１，２，３，３，６，７，７，８，８，８−ドデカフルオロ−２，６−ビス（トリフルオロメチル）オクタ−４−エン；１，１，１，５，５，６，７，７，７−ノナフルオロ−２，２，６−トリス（トリフルオロメチル）ヘプタ−３−エン；１，１，１，２，２，３，６，７，７，８，８，８−ドデカフルオロ−３，６−ビス（トリフルオロメチル）オクタ−４−エン；１，１，１，２，２，３，６，７，７，８，８，８−ドデカフルオロ−３，６−ビス（トリフルオロメチル）オクタ−４−エン；１，１，１，５，６，６，７，７，７−ノナフルオロ−２，２，５−トリス（トリフルオロメチル）ヘプタ−３−エン；および１，１，１，６，６，６−ヘキサフルオロ−２，２，５，５−テトラキス（トリフルオロメチル）ヘキサ−３−エン
からなる群から選択される、請求項６に記載の組成物。
【請求項８】
フルオロオレフィンが：
１，２，３，３，４，４−ヘキサフルオロシクロブテン；３，３，４，４−テトラフルオロシクロブテン；３，３，４，４，５，５，−ヘキサフルオロシクロペンテン；１，２，３，３，４，４，５，５−オクタフルオロシクロペンテン；および１，２，３，３，４，４，５，５，６，６−デカフルオロシクロヘキセン
からなる群から選択される、請求項６に記載の組成物。
【請求項９】
約１質量パーセント〜約９９質量パーセントの少なくとも１つのイオン液体および約９９質量パーセント〜約１質量パーセントの少なくとも１つのフルオロオレフィンを含む、請求項１に記載の組成物。
【請求項１０】
ａ．冷媒／吸収剤混合物を形成させる工程、
ｂ．該混合物を加熱して冷媒蒸気を放出させる工程、
ｃ．該冷媒を凝縮させて液体冷媒を形成させる工程、
ｄ．該液体冷媒を伝熱流体の近傍で蒸発させる工程、
ｅ．該伝熱流体を被冷却体の近傍に移送する工程、および
ｆ．上記吸収剤／冷媒溶液を再形成する工程；
を含み、ここで該冷媒／吸収剤混合物は、少なくとも１つのイオン液体および少なくとも１つのフルオロオレフィンを含む、冷却生成方法。
【請求項１１】
フルオロオレフィンが：
１，２，３，３，４，４−ヘキサフルオロシクロブテン；３，３，４，４−テトラフルオロシクロブテン；３，３，４，４，５，５，−ヘキサフルオロシクロペンテン；１，２，３，３，４，４，５，５−オクタフルオロシクロペンテン；および１，２，３，３，４，４，５，５，６，６−デカフルオロシクロヘキセン
からなる群から選択される、請求項１０に記載の方法。
【請求項１２】
伝熱流体を熱源からヒートシンクに移す工程を含み、該熱源が、少なくとも１つのイオン液体および少なくとも１つのフルオロオレフィンを含む作動流体対を利用する吸収サイクルである、伝熱方法。
【請求項１３】
フルオロオレフィンが：
１，２，３，３，４，４−ヘキサフルオロシクロブテン；３，３，４，４−テトラフルオロシクロブテン；３，３，４，４，５，５，−ヘキサフルオロシクロペンテン；１，２，３，３，４，４，５，５−オクタフルオロシクロペンテン；および１，２，３，３，４，４，５，５，６，６−デカフルオロシクロヘキセン
からなる群から選択される、請求項１２に記載の方法。
【請求項１４】
吸収器、発電機、凝縮器、膨張デバイスおよび蒸発器を備える吸収サイクルシステム装置であって、該装置中に含まれる作動流体が、少なくとも１つのイオン液体および少なくとも１つのフルオロオレフィンを含む、吸収サイクルシステム装置。
【請求項１５】
フルオロオレフィンが：
１，２，３，３，４，４−ヘキサフルオロシクロブテン；３，３，４，４−テトラフルオロシクロブテン；３，３，４，４，５，５，−ヘキサフルオロシクロペンテン；１，２，３，３，４，４，５，５−オクタフルオロシクロペンテン；および１，２，３，３，４，４，５，５，６，６−デカフルオロシクロヘキセン
からなる群から選択される、請求項１４に記載のシステム装置。